(57)【特許請求の範囲】
【請求項１】
（ａ）改札外と商業施設との間に設置される改札機を有する第１の改札口と、
（ｂ）改札内と前記商業施設との間に設置される改札機を有する第２の改札口とを配置し、
（ｃ）前記第１および第２の改札口の改札機はそれぞれ、前記改札外または前記改札内にいる利用者が前記第１または第２の改札口を通って前記商業施設に入店するときに、前記利用者が所持している記録媒体を前記改札機に読み取らせると、前記記録媒体の固有番号を入店者固有番号リストに記録することを特徴とする駅構内商業施設の入退店管理システム。
【請求項２】
請求項１記載の駅構内商業施設の入退店管理システムにおいて、前記第１の改札口の改札機は、前記利用者が前記商業施設から退店しようとするときに前記記録媒体を前記改札機に読み取らせると、前記記録媒体の固有番号が、前記第１の改札口の改札機が記録している前記入店者固有番号リストにある場合のみ前記利用者が前記改札外から入店したものと判断して、前記利用者が前記商業施設から前記改札外へ退店するのを許可することを特徴とする駅構内商業施設の入退店管理システム。
【請求項３】
請求項１記載の駅構内商業施設の入退店管理システムにおいて、前記第２の改札口の改札機は、前記利用者が前記商業施設から退店しようとするときに前記記録媒体を前記改札機に読み取らせると、前記記録媒体の固有番号が、前記第２の改札口の改札機が記録している前記入店者固有番号リストにある場合のみ前記利用者が前記改札内から入店したものと判断して、前記利用者が前記商業施設から前記改札内へ退店するのを許可することを特徴とする駅構内商業施設の入退店管理システム。
【請求項４】
請求項２記載の駅構内商業施設の入退店管理システムにおいて、前記第１の改札口の改札機が、前記第２の改札口の改札機が記録している前記入店者固有番号リストを参照することを可能とし、前記商業施設から退店しようとする前記利用者が前記記録媒体を前記第１の改札口の改札機に読み取らせたとき、前記第１の改札口の改札機は、前記固有番号が自身が記録している前記入店者固有番号リストではなく前記第２の改札口の改札機の前記入店者固有番号リストにあると判断すると、前記利用者が前記改札内から前記改札外へと出るための改札処理を行うことにより前記利用者が前記商業施設から退店するのを許可することを特徴とする駅構内商業施設の入退店管理システム。
【請求項５】
請求項３記載の駅構内商業施設の入退店管理システムにおいて、前記第２の改札口の改札機が、前記第１の改札口の改札機が記録している前記入店者固有番号リストを参照することを可能とし、前記商業施設から退店しようとする前記利用者が前記記録媒体を前記第２の改札口の改札機に読み取らせたとき、前記第２の改札口の改札機は、前記固有番号が自身が記録している前記入店者固有番号リストではなく前記第１の改札口の改札機の前記入店者固有番号リストにあると判断すると、前記利用者が前記改札外から前記改札内へと入るための改札処理を行うことにより前記利用者が前記商業施設から退店するのを許可することを特徴とする駅構内商業施設の入退店管理システム。
【請求項６】
（ａ）改札外と商業施設との間に設置される改札機を有する第１の改札口と、
（ｂ）改札内と前記商業施設との間に設置される改札機を有する第２の改札口と、
（ｃ）前記改札内から前記商業施設へ入店する一方向のみに通行可能な第３の改札口とを配置し、
（ｄ）前記第１および第２の改札口の改札機はそれぞれ、前記改札外または前記改札内にいる利用者が前記第１または第２の改札口を通って前記商業施設に入店するときに、前記利用者が所持している記録媒体を前記改札機に読み取らせると、前記記録媒体の固有番号を入店者固有番号リストに記録することを特徴とする駅構内商業施設の入退店管理システム。
【請求項７】
請求項６記載の駅構内商業施設の入退店管理システムにおいて、前記第１の改札口の改札機は、前記利用者が前記商業施設から退店しようとするときに前記記録媒体を前記改札機に読み取らせると、前記記録媒体の固有番号が、前記第１の改札口の改札機が記録している前記入店者固有番号リストにある場合のみ前記利用者が前記改札外から入店したものと判断して、前記利用者が前記商業施設から前記改札外へ退店するのを許可することを特徴とする駅構内商業施設の入退店管理システム。
【請求項８】
請求項６記載の駅構内商業施設の入退店管理システムにおいて、前記第２の改札口の改札機が、前記第１の改札口の改札機が記録している前記入店者固有番号リストを参照することを可能とし、前記商業施設から退店しようとする前記利用者が前記記録媒体を前記第２の改札口の改札機に読み取らせたとき、前記第２の改札口の改札機は、前記固有番号が自身が記録している前記入店者固有番号リストにあるか、あるいはどちらの入店者固有番号リストにもないと判断すると、前記利用者が前記改札内から入店したものと判断して、前記利用者が前記商業施設から前記改札内へ退店するのを許可することを特徴とする駅構内商業施設の入退店管理システム。
【請求項９】
請求項７記載の駅構内商業施設の入退店管理システムにおいて、前記第１の改札口の改札機が、前記第２の改札口の改札機が記録している前記入店者固有番号リストを参照することを可能とし、前記商業施設から退店しようとする前記利用者が前記記録媒体を前記第１の改札口の改札機に読み取らせたとき、前記第１の改札口の改札機は、前記固有番号が自身が記録している前記入店者固有番号リストではなく前記第２の改札口の改札機の前記入店者固有番号リストにあるか、あるいはどちらの入店者固有番号リストにもないと判断すると、前記利用者が前記改札内から前記改札外へと出るための改札処理を行うことにより前記利用者が前記商業施設から退店するのを許可することを特徴とする駅構内商業施設の入退店管理システム。
【請求項１０】
請求項８記載の駅構内商業施設の入退店管理システムにおいて、前記商業施設から退店しようとする前記利用者が前記記録媒体を前記第２の改札口の改札機に読み取らせたとき、前記第２の改札口の改札機は、前記固有番号が自身が記録している前記入店者固有番号リストではなく前記第１の改札口の改札機の前記入店者固有番号リストにあると判断すると、前記利用者が前記改札外から前記改札内へと入るための改札処理を行うことにより前記利用者が前記商業施設から退店するのを許可することを特徴とする駅構内商業施設の入退店管理システム。
【発明の詳細な説明】
【技術分野】
【０００１】
本発明は、駅構内商業施設の入退店管理システムに関するものである。
【背景技術】
【０００２】
従来、駅構内の店舗などの利用者に対して利便性を図ることができる情報処理システムおよび方法（下記特許文献１参照）が提案されている。
かかる情報処理システムは、駅の改札ゲートに設置される第１の情報処理装置と、前記改札ゲートから入店することで利用可能な駅構内における施設内の所定の位置、または電車の車両内の所定の位置に設置される第２の情報処理装置とを備える情報処理システムにおいて、前記第１の情報処理装置は、前記改札ゲートを通過する人が装着している通信端末であり、人体を含む誘電体を通信媒体として通信する前記通信端末と通信し、前記改札ゲートの入出場に応じたフラグ処理を行うとともに、前記通信端末に設定されているフラグに応じて、前記通信端末に記録されている電子マネー情報に対して、課金決済を行う課金決済手段を含み、前記第２の情報処理装置は、前記所定の位置に入場した人が装着している前記通信端末と、前記通信媒体を介して通信し、前記通信端末に前記所定の位置に対応する施設または電車の利用を示すフラグを設定する利用フラグ設定手段とを含むように構成されている。
【先行技術文献】
【特許文献】
【０００３】
【特許文献１】特開２００７−０５８４４６号公報
【発明の概要】
【発明が解決しようとする課題】
【０００４】
しかしながら、上記した情報処理システムは、人体を含む誘電体を通信媒体とする大がかりな情報処理システムであり、より簡単な情報処理システムが求められている。
現在は、通常、駅の改札内に設置された商業施設は改札内にいる旅客しか利用ができず、改札外の人が利用しようとすると、入場券を購入して改札内に入場せざるを得ない。
本発明は、上記状況に鑑みて、駅の改札内に設置された商業施設を改札外の人も入場券を購入せずに利用することができる、駅構内商業施設の入退店管理システムを提供することを目的とする。
【課題を解決するための手段】
【０００５】
本発明は、上記目的を達成するために、
〔１〕駅構内商業施設の入退店管理システムにおいて、改札外と商業施設との間に設置される改札機を有する第１の改札口と、改札内と前記商業施設との間に設置される改札機を有する第２の改札口とを配置し、前記第１および第２の改札口の改札機はそれぞれ、前記改札外または前記改札内にいる利用者が前記第１または第２の改札口を通って前記商業施設に入店するときに、前記利用者が所持している記録媒体を前記改札機に読み取らせると、前記記録媒体の固有番号を入店者固有番号リストに記録することを特徴とする。
【０００６】
〔２〕上記〔１〕記載の駅構内商業施設の入退店管理システムにおいて、前記第１の改札口の改札機は、前記利用者が前記商業施設から退店しようとするときに前記記録媒体を前記改札機に読み取らせると、前記記録媒体の固有番号が、前記第１の改札口の改札機が記録している前記入店者固有番号リストにある場合のみ前記利用者が前記改札外から入店したものと判断して、前記利用者が前記商業施設から前記改札外へ退店するのを許可することを特徴とする。
【０００７】
〔３〕上記〔１〕記載の駅構内商業施設の入退店管理システムにおいて、前記第２の改札口の改札機は、前記利用者が前記商業施設から退店しようとするときに前記記録媒体を前記改札機に読み取らせると、前記記録媒体の固有番号が、前記第２の改札口の改札機が記録している前記入店者固有番号リストにある場合のみ前記利用者が前記改札内から入店したものと判断して、前記利用者が前記商業施設から前記改札内へ退店するのを許可することを特徴とする。
【０００８】
〔４〕上記〔２〕記載の駅構内商業施設の入退店管理システムにおいて、前記第１の改札口の改札機が、前記第２の改札口の改札機が記録している前記入店者固有番号リストを参照することを可能とし、前記商業施設から退店しようとする前記利用者が前記記録媒体を前記第１の改札口の改札機に読み取らせたとき、前記第１の改札口の改札機は、前記固有番号が自身が記録している前記入店者固有番号リストではなく前記第２の改札口の改札機の前記入店者固有番号リストにあると判断すると、前記利用者が前記改札内から前記改札外へと出るための改札処理を行うことにより前記利用者が前記商業施設から退店するのを許可することを特徴とする。
【０００９】
〔５〕上記〔３〕記載の駅構内商業施設の入退店管理システムにおいて、前記第２の改札口の改札機が、前記第１の改札口の改札機が記録している前記入店者固有番号リストを参照することを可能とし、前記商業施設から退店しようとする前記利用者が前記記録媒体を前記第２の改札口の改札機に読み取らせたとき、前記第２の改札口の改札機は、前記固有番号が自身が記録している前記入店者固有番号リストではなく前記第１の改札口の改札機の前記入店者固有番号リストにあると判断すると、前記利用者が前記改札外から前記改札内へと入るための改札処理を行うことにより前記利用者が前記商業施設から退店するのを許可することを特徴とする。
【００１０】
〔６〕駅構内商業施設の入退店管理システムにおいて、改札外と商業施設との間に設置される改札機を有する第１の改札口と、改札内と前記商業施設との間に設置される改札機を有する第２の改札口と、前記改札内から前記商業施設へ入店する一方向のみに通行可能な第３の改札口とを配置し、前記第１および第２の改札口の改札機はそれぞれ、前記改札外または前記改札内にいる利用者が前記第１または第２の改札口を通って前記商業施設に入店するときに、前記利用者が所持している記録媒体を前記改札機に読み取らせると、前記記録媒体の固有番号を入店者固有番号リストに記録することを特徴とする。
【００１１】
〔７〕上記〔６〕記載の駅構内商業施設の入退店管理システムにおいて、前記第１の改札口の改札機は、前記利用者が前記商業施設から退店しようとするときに前記記録媒体を前記改札機に読み取らせると、前記記録媒体の固有番号が、前記第１の改札口の改札機が記録している前記入店者固有番号リストにある場合のみ前記利用者が前記改札外から入店したものと判断して、前記利用者が前記商業施設から前記改札外へ退店するのを許可することを特徴とする。
【００１２】
〔８〕上記〔６〕記載の駅構内商業施設の入退店管理システムにおいて、前記第２の改札口の改札機が、前記第１の改札口の改札機が記録している前記入店者固有番号リストを参照することを可能とし、前記商業施設から退店しようとする前記利用者が前記記録媒体を前記第２の改札口の改札機に読み取らせたとき、前記第２の改札口の改札機は、前記固有番号が自身が記録している前記入店者固有番号リストにあるか、あるいはどちらの入店者固有番号リストにもないと判断すると、前記利用者が前記改札内から入店したものと判断して、前記利用者が前記商業施設から前記改札内へ退店するのを許可することを特徴とする。
【００１３】
〔９〕上記〔７〕記載の駅構内商業施設の入退店管理システムにおいて、前記第１の改札口の改札機が、前記第２の改札口の改札機が記録している前記入店者固有番号リストを参照することを可能とし、前記商業施設から退店しようとする前記利用者が前記記録媒体を前記第１の改札口の改札機に読み取らせたとき、前記第１の改札口の改札機は、前記固有番号が自身が記録している前記入店者固有番号リストではなく前記第２の改札口の改札機の前記入店者固有番号リストにあるか、あるいはどちらの入店者固有番号リストにもないと判断すると、前記利用者が前記改札内から前記改札外へと出るための改札処理を行うことにより前記利用者が前記商業施設から退店するのを許可することを特徴とする。
【００１４】
〔１０〕上記〔８〕記載の駅構内商業施設の入退店管理システムにおいて、前記商業施設から退店しようとする前記利用者が前記記録媒体を前記第２の改札口の改札機に読み取らせたとき、前記第２の改札口の改札機は、前記固有番号が自身が記録している前記入店者固有番号リストではなく前記第１の改札口の改札機の前記入店者固有番号リストにあると判断すると、前記利用者が前記改札外から前記改札内へと入るための改札処理を行うことにより前記利用者が前記商業施設から退店するのを許可することを特徴とする。
【発明の効果】
【００１５】
本発明によれば、駅の改札内に設置された商業施設を、改札外にいる利用者も入場券を購入することなしに利用することができる。
【図面の簡単な説明】
【００１６】
【図１】本発明の駅構内商業施設の入退店管理システムに係る駅構内の配置を示す模式図（その１）である。
【図２】本発明の第１実施例を示す駅構内商業施設の入退店管理システムの説明図である。
【図３】本発明の第２実施例を示す駅構内商業施設の入退店管理システムの説明図である。
【図４】本発明の駅構内商業施設の入退店管理システムに係る駅構内の配置を示す模式図（その２）である。
【図５】本発明の第３実施例を示す駅構内商業施設の入退店管理システムの説明図である。
【図６】本発明の第４実施例を示す駅構内商業施設の入退店管理システムの説明図である。
【発明を実施するための形態】
【００１７】
本発明の駅構内商業施設の入退店管理システムは、改札外と商業施設との間に設置される改札機を有する第１の改札口と、改札内と前記商業施設との間に設置される改札機を有する第２の改札口とを配置し、前記第１および第２の改札口の改札機はそれぞれ、前記改札外または前記改札内にいる利用者が前記第１または第２の改札口を通って前記商業施設に入店するときに、前記利用者が所持している記録媒体を前記改札機に読み取らせると、前記記録媒体の固有番号を入店者固有番号リストに記録する。
【実施例】
【００１８】
以下、本発明の実施の形態について詳細に説明する。
図１は、本発明の駅構内商業施設の入退店管理システムに係る駅構内の配置を示す模式図（その１）である。
この図において、１は改札外、２は改札内、３は商業施設、４は改札外１と商業施設３との間の第１の改札口、４Ａは第１の改札口４に配置される改札機、５は改札内２と商業施設３との間の第２の改札口、５Ａは第２の改札口５に配置される改札機、６は改札外１と改札内２との間の第３の改札口、６Ａは第３の改札口６に配置される改札機である。
【００１９】
図１に示されるように、商業施設３は、改札外１からの入退店を可能とする第１の改札口と、改札内２からの入退店を可能とする第２の改札口との２箇所の入退店口を有する。
図２は本発明の第１実施例を示す駅構内商業施設の入退店管理システムの説明図である。
この第１実施例では、商業施設３の利用者７，９は、ＩＣカード８，１０などの固有番号を保持する記録媒体を用いて入退店を行うように構成している。
【００２０】
図２において、第１の改札口４の改札機４Ａと第２の改札口５の改札機５Ａは、利用者７，９が商業施設３に入店する際にＩＣカード８，１０から固有番号を読み取り、入店者固有番号リストに記録する。そして、利用者７，９が商業施設３から出ようとする際にＩＣカード８，１０から読み取った固有番号が改札機４Ａ，５Ａの入店者固有番号リストの中にあるかを照合し、同じ番号があれば退店を許可し、なければ退店を許可しない。
【００２１】
例えば、改札外１にいる利用者７が商業施設３を利用する場合、利用者７はＩＣカード８を第１の改札口４の改札機４Ａに読み取らせて商業施設３に入店する。この時、第１の改札口４の改札機４Ａの入店者固有番号リストには、読み取ったＩＣカード８の固有番号が記録される。
次に、利用者７が商業施設３の外に出ようとする場合、入店時と同じく第１の改札口４の改札機４ＡにＩＣカード８を読み取らせると、このＩＣカード８の固有番号と同じ番号は改札機４Ａの入店者固有番号リストに記録されているので、改札機４Ａは利用者７の退店を許可し、利用者７は第１の改札口４から改札外１へ退店することができる。
【００２２】
しかし、利用者７が第２の改札口５から商業施設３の外に出ようとした場合、第２の改札口５の改札機５Ａの入店者固有番号リストにはＩＣカード８の固有番号は記録されていないので、改札機５Ａは利用者７の退店を許可せず、利用者７は第２の改札口５から改札内２へ退店することはできない。
一方、改札内２にいる利用者９が商業施設３を利用する場合、利用者９はＩＣカード１０を第２の改札口５の改札機５Ａに読み取らせて商業施設３に入店する。この時、第２の改札口５の改札機５Ａの入店者固有番号リストには、読み取ったＩＣカード１０の固有番号が記録される。
【００２３】
次に、利用者９が商業施設３の外に出ようとする場合、入店時と同じく第２の改札口５の改札機５ＡにＩＣカード１０を読み取らせると、このＩＣカード１０の固有番号と同じ番号は改札機５Ａの入店者固有番号リストに記録されているので、改札機５Ａは利用者９の退店を許可し、利用者９は第２の改札口５から改札内２へ退店することができる。
しかし、利用者９が第１の改札口４から商業施設３の外に出ようとした場合、第１の改札口４の改札機４Ａの入店者固有番号リストにはＩＣカード１０の固有番号は記録されていないので、改札機４Ａは利用者９の退店を許可せず、利用者９は第１の改札口４から改札外１へ退店することはできない。
【００２４】
これにより、改札外１から第１の改札口４を通って商業施設３に入店した利用者７は、第１の改札口４から改札外１にしか退店することができず、また、改札内２から第２の改札口５を通って商業施設３に入店した利用者９は、第２の改札口５から改札内２にしか退店することができない。
なお、利用者７，９の商業施設３への入店時に改札機４Ａ，５Ａの入店者固有番号リストに記録されたＩＣカード８，１０の固有番号は、利用者７，９が改札機４Ａ，５Ａを通って退店する際に入店者固有番号リストから削除される。
【００２５】
図３は本発明の第２実施例を示す駅構内商業施設の入退店管理システムの説明図である。
この第２実施例では、商業施設３の利用者１１，１３は、固有番号を有するＩＣカード乗車券１２，１４を用いて入退店を行うように構成している。
図３において、第１の改札口４の改札機４Ａと第２の改札口５の改札機５Ａは、利用者１１，１３が商業施設３に入店する際にＩＣカード乗車券１２，１４から固有番号を読み取り、入店者固有番号リストに記録する。そして、利用者１１，１３が商業施設３から出ようとする際にＩＣカード乗車券１２，１４から読み取った固有番号が改札機４Ａ，５Ａの入店者固有番号リストにあるかを照合し、同じ番号があれば退店を許可し、なければ通常の改札機と同様の改札処理を行う。
【００２６】
例えば、改札外１にいる利用者１１が商業施設３を利用する場合、利用者１１はＩＣカード乗車券１２を第１の改札口４の改札機４Ａに読み取らせて商業施設３に入店する。この時、第１の改札口４の改札機４Ａの入店者固有番号リストには、読み取ったＩＣカード乗車券１２の固有番号が記録される。
次に、利用者１１が商業施設３の外に出ようとする場合、入店時と同じく第１の改札口４の改札機４ＡにＩＣカード乗車券１２を読み取らせると、このＩＣカード乗車券１２の固有番号と同じ番号は改札機４Ａの入店者固有番号リストに記録されているので、改札機４Ａは利用者１１の退店を許可し、利用者１１は第１の改札口４から改札外１へ退店することができる。
【００２７】
この利用者１１が第２の改札口５から商業施設３の外に出ようとした場合、第２の改札口５の改札機５Ａの入店者固有番号リストにはＩＣカード乗車券１２の固有番号は記録されていないので、第２の改札口５の改札機５Ａは通常の改札機としての改札処理を行い、利用者１１は商業施設３から退店すると同時に改札内２へと入場することができる。
これにより、第１の改札口４から商業施設３に入店した利用者１１が第１の改札口４から退店した場合、その利用者１１は改札内２への入場に係る料金を課されることがない。一方で、第１の改札口４から商業施設３に入店した利用者１１が第２の改札口５から退店した場合、改札外１から改札内２へと入場することになるので、第２の改札口５の改札機５Ａが通常の改札機として機能する。このため、利用者１１は第１の改札口４から一度改札外１に退店した後、第３の改札口６の改札機６Ａを利用して改めて改札内２に入場するという手間が省ける。
【００２８】
一方、改札内２にいる利用者１３が商業施設３を利用する場合、利用者１３はＩＣカード乗車券１４を第２の改札口５の改札機５Ａに読み取らせて商業施設３に入店する。この時、第２の改札口５の改札機５Ａの入店者固有番号リストには、読み取ったＩＣカード乗車券１４の固有番号が記録される。
次に、利用者１３が商業施設３の外に出ようとする場合、入店時と同じく第２の改札口５の改札機５ＡにＩＣカード乗車券１４を読み取らせると、このＩＣカード乗車券１４の固有番号と同じ番号は改札機５Ａの入店者固有番号リストに記録されているので、改札機５Ａは利用者１３の退店を許可し、利用者１３は第２の改札口５から改札内２へ退店することができる。
【００２９】
この利用者１３が第１の改札口４から商業施設３の外に出ようとした場合、第１の改札口４の改札機４Ａの入店者固有番号リストにはＩＣカード乗車券１４の固有番号は記録されていないので、第１の改札口４の改札機４Ａは通常の改札機としての改札処理を行い、利用者１３は商業施設３から退店すると同時に改札外１へと退場することができる。
これにより、第２の改札口５から商業施設３に入店した利用者１３が第２の改札口５から退店した場合、その利用者１３は改札外１への退場に係る料金を課されることがない。一方で、第２の改札口５から商業施設３に入店した利用者１３が第１の改札口４から退店した場合、改札内２から改札外１へと退場することになるので、第１の改札口４の改札機４Ａが通常の改札機として機能する。このため、利用者１３は第２の改札口５から一度改札内２に退店した後、第３の改札口６の改札機６Ａを利用して改めて改札外１に退場するという手間が省ける。
【００３０】
なお、この第２実施例では、改札機４Ａ，５Ａがそれぞれ、自身が記録している入店者固有番号リストと他方の改札機が記録しているリストの両方を参照できるようにしている。それによって、例えば、第１の改札口４から入店した利用者１１が同じく第１の改札口４から退店しようとする場合、改札機４Ａは自身が記録している入店者固有番号リストを参照して、利用者１１が入店時と同じ改札口を通って退店しようとしていると判断し、利用者１１が第２の改札口５から退店しようとする場合、改札機５Ａは、自身が記録している入店者固有番号リストを参照するとともに改札機４Ａに記録されている入店者固有番号リストを参照して、利用者１１が入店時とは違う改札口を通って退店しようとしていると判断する。固有番号は、第１実施例と同様に、利用者１１，１３が改札機４Ａ，５Ａを通って退店する際に入店者固有番号リストから削除される。
【００３１】
図４は、本発明の駅構内商業施設の入退店管理システムに係る駅構内の配置を示す模式図（その２）である。
この図において、２１は改札外、２２は改札内、２３は商業施設、２４は改札外２１と商業施設２３との間の第１の改札口、２４Ａは第１の改札口２４に配置される改札機、２５は改札内２２と商業施設２３との間の第２の改札口、２５Ａは第２の改札口２５に配置される改札機、２６は改札外２１と改札内２２との間の第３の改札口、２６Ａは第３の改札口２６に配置される改札機、３１は改札内２２から商業施設２３への入店口である。
【００３２】
図４に示されるように、商業施設２３は、図１に示されるような２箇所の入退店口（第１の改札口４および第２の改札口５）に加えて、改札内２２から商業施設２３への一方向のみの通行が可能な入店口３１を有する。したがって、商業施設２３には、改札外２１からは第１の改札口２４を通って入退店が可能であり、改札内２２からは、第２の改札口２５を通って入退店可能であるとともに、入店口３１を通っても入店可能である。ただし、この入店口３１は、改札内２２から商業施設２３への入店のみを許可するものであって、入店口３１を通って改札内２２への退店はできない一方通行を維持するように構成する。その場合、例えば、単に利用者に対して一方通行を守るように案内する方法や、一方向にのみ回転するターンスタイルや回転扉、改札内２２側からのみ開くことができる自動ドアなどによって一方通行を強制する方法がある。
【００３３】
図５は本発明の第３実施例を示す駅構内商業施設の入退店管理システムの説明図である。
図５において、改札外２１にいる利用者２７が商業施設２３を利用する場合、利用者２７はＩＣカード２８などの固有番号を保持する記録媒体を第１の改札口２４の改札機２４Ａに読み取らせて商業施設２３に入店する。この時、第１の改札口２４の改札機２４Ａの入店者固有番号リストには、読み取ったＩＣカード２８の固有番号が記録される。
【００３４】
次に、利用者２７が商業施設２３の外に出ようとする場合、入店時と同じく第１の改札口２４の改札機２４ＡにＩＣカード２８を読み取らせると、このＩＣカード２８の固有番号と同じ番号は改札機２４Ａの入店者固有番号リストに記録されているので、改札機２４Ａは利用者２７の退店を許可し、利用者２７は第１の改札口２４から改札外２１へ退店することができる。
【００３５】
しかし、利用者２７が第２の改札口２５から商業施設２３の外へ出ようとした場合、第２の改札口２５の改札機２５Ａの入店者固有番号リストにはＩＣカード２８の固有番号は記録されていないので、改札機２５Ａは利用者２７の退店を許可せず、利用者２７は第２の改札口２５から改札内２２へと退店することはできない。
一方、改札内２２にいる利用者２９が商業施設２３を利用する場合、利用者２９は入店口３１から自由に入店することができる。
【００３６】
次に、利用者２９が商業施設２３から改札内２２へ出ようとする場合、入店時に使用した入店口３１は一方通行の構成であってそこから退店することはできないので、利用者２９は、その代わりに第２の改札口２５を通って退店することになる。利用者２９が所持しているＩＣカード乗車券３０を第２の改札口２５の改札機２５Ａに読み取らせると、改札機２５Ａは、入店者固有番号リストを参照するのではなく、何れかの駅の改札機を通って入場したことがＩＣカード乗車券３０に記録されているかを確認し、入場が記録されていれば、改札機２５Ａは利用者２９の退店を許可し、利用者２９は第２の改札口２５から改札内２２へ退店することができる。
【００３７】
あるいは、改札内２２にいる利用者２９は第２の改札口２５からも入店可能であり、この場合の入退店時の動作態様は上記第１実施例と同様である。
この第３実施例では、ＩＣカード等を使用する必要なしに改札内２２から商業施設２３に入店することができる入店口３１を設け、かつ入店口３１を一方通行の構成としたことにより、上記した第１実施例と比較して、改札内２２にいる利用者２９が商業施設２３に入店しやすくなる。
【００３８】
図６は本発明の第４実施例を示す駅構内商業施設の入退店管理システムの説明図である。
この第４実施例では、上記第２実施例と同様に、商業施設２３の利用者３３，３５は、固有番号を有するＩＣカード乗車券３４，３６を用いて入退店を行うように構成している。
【００３９】
図６において、改札機２４Ａ，２５Ａはそれぞれ、自身が記録している入店者固有番号リストと他方の改札機が記録している入店者固有番号の両方を参照することができる。また、利用者３３，３５が所持しているＩＣカード乗車券３４，３６を読み取る時、改札機２４Ａ，２５Ａは、ＩＣカード乗車券３４，３６の固有番号が入店者固有番号リストに記録されているかを照合するとともに、何ずれかの駅の改札機を通って入場したことがＩＣカード乗車券３４，３６に記録されているかを確認する。
【００４０】
例えば、改札外２１から第１の改札口２４を通って商業施設２３へ入店した利用者３３が、第２の改札口２５から改札内２２へ退店しようとする場合、利用者３３が所持しているＩＣカード乗車券３４の固有番号は入店者固有番号リストに記録されているが、そのＩＣカード乗車券３４が改札内２２に入場した記録はないので、第２の改札口２５の改札機２５Ａが通常の改札機として機能して、利用者３３の入場を許可する。
【００４１】
一方、改札内２２から商業施設２３へ入店した利用者３５が第１の改札口２４から改札外２１へと退店しようとする場合、改札機２４Ａは、ＩＣカード乗車券３６が改札内２２に入場した記録を有していることを確認すると、通常の改札機として機能して、利用者３５の退場を許可する。
なお、利用者３３が第１の改札口２４を通って退店する場合、および利用者３５が第２の改札口２５を通って退店する場合の動作態様は、上記第１および第３実施例と同様である。
【００４２】
なお、本発明は上記実施例に限定されるものではなく、本発明の趣旨に基づき種々の変形が可能であり、これらを本発明の範囲から排除するものではない。
【産業上の利用可能性】
【００４３】
本発明の駅構内商業施設の入退店管理システムは、駅の改札内に設置された商業施設を改札外の人による利用にも供することができる、駅構内商業施設の入退店管理システムとして利用することができる。
【符号の説明】
【００４４】
１，２１    改札外
２，２２    改札内
３，２３    商業施設
４，２４    第１の改札口
４Ａ，２４Ａ    第１の改札口の改札機
５，２５    第２の改札口
５Ａ，２５Ａ    第２の改札口の改札機
６，２６    第３の改札口
６Ａ，２６Ａ    第３の改札口の改札機
７，９，１１，１３，２７，２９，３３，３５    利用者
８，１０，２８    ＩＣカード（固有番号を保持する記録媒体）
１２，１４，３０，３４，３６    ＩＣカード乗車券
３１    入店口
【図１】
0005595936.tif 000002
【図２】
0005595936.tif 000003
【図３】
0005595936.tif 000004
【図４】
0005595936.tif 000005
【図５】
0005595936.tif 000006
【図６】
0005595936.tif 000007